(57)【要約】【課題】  樹木と接触する場所や強塩害地区でも架空配電線路の構築を可能にする耐樹木ケーブルを提供する。【解決手段】  本発明の耐樹木ケーブル１Ａ，１Ｂ，１Ｃは、導体２に、内部半導電層３、絶縁体４、外部半導電層５、遮蔽層６、およびシース７を被覆し、シース７上に摩耗検知層８および耐摩耗層９を形成して構成され、摩耗検知層８は、耐摩耗層９の色とは異なる色であって、視認が容易な色を有し、かつ摩耗性および電気特性に優れた難燃性材料からなり、耐摩耗層９は、摩耗性、電気特性、および耐侯性に優れた難燃性材料からなることを特徴とする。【選択図】    図１
2006286304.tif 000002
【特許請求の範囲】
【請求項１】
導体に、内部半導電層、絶縁体、外部半導電層、遮蔽層、およびシースを被覆し、該シース上に摩耗検知層および耐摩耗層を形成してなる耐樹木ケーブルであって、
前記摩耗検知層は、前記耐摩耗層の色とは異なる色であって、視認が容易な色を有し、かつ摩耗性および電気特性に優れた難燃性材料からなり、前記耐摩耗層は、摩耗性、電気特性、および耐侯性に優れた難燃性材料からなることを特徴とする耐樹木ケーブル。
【請求項２】
導体に、内部半導電層、絶縁体、外部半導電層、および遮蔽層を被覆し、該遮蔽層の上に摩耗検知層および耐摩耗層を形成してなる耐樹木ケーブルであって、
前記摩耗検知層は、前記耐摩耗層の色とは異なる色であって、視認が容易な色を有し、かつ摩耗性および電気特性に優れた難燃性材料からなり、前記耐摩耗層は、摩耗性、電気特性、および耐侯性に優れた難燃性材料からなることを特徴とする耐樹木ケーブル。
【請求項３】
前記摩耗検知層および前記耐摩耗層を形成する前記難燃性材料は、難燃高密度ポリオレフィン、難燃高密度架橋ポリオレフィン、又は硬質ポリ塩化ビニルであることを特徴とする請求項１又は請求項２に記載の耐樹木ケーブル。
【請求項４】
前記難燃高密度ポリオレフィンは、高密度ポリオレフィン１００部に対し、水酸化マグネシウム又は水酸化アルミニウムを３０部〜１００部を充填したものであり、前記難燃高密度架橋ポリオレフィンは、高密度架橋ポリオレフィン１００部に対し、水酸化マグネシウム又は水酸化アルミニウムを３０部〜１００部を充填したものであることを特徴とする請求項３に記載の耐樹木ケーブル。
【発明の詳細な説明】
【技術分野】
【０００１】
本発明は、樹木接触による損傷が検知可能な耐樹木ケーブルに関し、特に、樹木と接触する場所や強塩害地区でも架空配電線路の構築が可能な耐樹木ケーブルに関する。
【背景技術】
【０００２】
従来、低圧又は高圧の架空電線を風等によって振動し樹木と接触するような場所に布設する場合には、耐樹木絶縁電線が用いられている（例えば、特許文献１参照）。
【０００３】
図４および図５は、それぞれ従来の耐樹木絶縁電線の断面図および側面図を示す。この耐樹木絶縁電線２０は、銅線または銅撚線からなる導体２１にポリエチレン又は架橋ポリエチレン等からなる絶縁体２２が被覆され、この絶縁体２２の上に高密度ポリエチレン又は高密度架橋ポリエチレン等からなる摩耗検知層２３が被覆され、この摩耗検知層２３の上に高密度ポリエチレン又は高密度架橋ポリエチレン等からなる耐摩耗層２４が被覆されて形成されている。
【０００４】
また、図６および図７は、それぞれ従来のケーブルおよび該ケーブル３本から構成されたトリプレックス形自己支持形架空ケーブルの断面図および側面図を示す。
【０００５】
各ケーブル３０Ａ、３０Ｂおよび３０Ｃは、それぞれ銅線、銅撚線、アルミ撚線等からなる導体３１と、半導電性を有する架橋ポリエチレン等からなる内部半導電層３２と、ポリエチレン又は架橋ポリエチレン等からなる絶縁体３３と、半導電性を有する架橋ポリエチレンもしくは半導電性テープ等からなる外部半導電層３４と、軟銅テープからなる遮蔽層３５と、軟質ポリ塩化ビニルからなるシース３６とから形成されている。
【０００６】
このケーブル３０Ａ、３０Ｂおよび３０Ｃの３本により３相を構成するトリプレックス形自己支持形架空ケーブル３０は、架設時の布設張力およびケーブル重量を支える鋼線、鋼撚線等からなるメッセンジャーワイヤ３７と、撚り合わせた３本のケーブル３０Ａ、３０Ｂおよび３０Ｃの長手方向に該メッセンジャーワイヤ３７を添わせて一体化させるために該外周に巻回される鋼線、鋼撚線等またはこれらの上に軟質ポリ塩化ビニルにより被覆したラッシングワイヤ３８とから形成されている。このラッシングワイヤ３８は、３本のケーブル３０Ａ、３０Ｂおよび３０Ｃと接触しながら螺旋状に巻回される。
【特許文献１】特許第３１０９５５４号公報
【発明の開示】
【発明が解決しようとする課題】
【０００７】
しかし、従来の耐樹木絶縁電線では、遮蔽層をもつケーブルと比較して電気特性が劣るため、その複数本の電線同士を近接距離にて布設するには、電気設備技術基準解釈第８３条「高圧架空電線相互の接近又は交さ」に規定された離隔距離（電線相間８００mm）を確保する必要があり、森林等の樹木が群生している場所に架空配電線路を構築するための布設スペースの確保が困難な場合がある。
【０００８】
また、樹木との接触により摩耗層、摩耗検知層が擦れて絶縁体が露出した状態でも発見され難い、若しくは、強塩害地区で樹木が電線と接触した場合、電線表面に塩分が付着してトラッキングが発生するおそれがある。
【０００９】
また、従来の耐樹木絶縁電線の摩耗検知層、耐摩耗層等およびケーブルのシースは、難燃性を有していないため、万一トラッキングが発生した場合、電線（ケーブル）が燃えて延焼するおそれがある。延焼による山火事も懸念される。
【００１０】
一方、従来のケーブルでは、絶縁体、シースが特許文献１等に記載されている耐樹木絶縁電線の摩耗特性および電気特性を有していないため、樹木と接触した状態で布設するような場所には使用出来なかった。
【００１１】
従って、本発明の目的は、樹木と接触する場所や強塩害地区でも架空配電線路の構築を可能にする耐樹木ケーブルを提供することにある。
【課題を解決するための手段】
【００１２】
本発明は、上記目的を達成するため、導体に、内部半導電層、絶縁体、外部半導電層、遮蔽層、およびシースを被覆し、該シース上に摩耗検知層および耐摩耗層を形成してなる耐樹木ケーブルであって、前記摩耗検知層は、前記耐摩耗層の色とは異なる色であって、視認が容易な色を有し、かつ摩耗性および電気特性に優れた難燃性材料からなり、前記耐摩耗層は、摩耗性、電気特性、および耐侯性に優れた難燃性材料からなることを特徴とする耐樹木ケーブルを提供する。
【００１３】
また、本発明は、上記目的を達成するため、導体に、内部半導電層、絶縁体、外部半導電層、および遮蔽層を被覆し、該遮蔽層の上に摩耗検知層および耐摩耗層を形成してなる耐樹木ケーブルであって、前記摩耗検知層は、前記耐摩耗層の色とは異なる色であって、視認が容易な色を有し、かつ摩耗性および電気特性に優れた難燃性材料からなり、前記耐摩耗層は、摩耗性、電気特性、および耐侯性に優れた難燃性材料からなることを特徴とする耐樹木ケーブルを提供する。
【発明の効果】
【００１４】
本発明の耐樹木ケーブルによれば、樹木と接触する場所や強塩害地区でも架空配電線路を構築することができる。
【発明を実施するための最良の形態】
【００１５】
〔第１の実施の形態〕
図１および図２は、それぞれ本発明の第１の実施の形態に係る耐樹木ケーブルおよび該耐樹木ケーブル３本から構成されたトリプレックス形自己支持形耐樹木架空ケーブルの断面図および側面図を示す。
【００１６】
耐樹木ケーブル１Ａ、１Ｂおよび１Ｃは、それぞれ銅線、銅撚線、アルミ撚線等からなる導体２と、半導電性を有する架橋ポリエチレン等からなる内部半導電層３と、ポリエチレン又は架橋ポリエチレン等からなる絶縁体４と、半導電性を有する架橋ポリエチレンもしくは半導電性テープ等からなる外部半導電層５と、軟銅テープからなる遮蔽層６と、ポリオレフィン（主にポリエチレン）、架橋ポリオレフィン（主に架橋ポリエチレン）又はポリ塩化ビニル等からなるシース７と、高密度ポリオレフィン（主に高密度ポリエチレン）、高密度架橋ポリオレフィン（主に高密度架橋ポリエチレン）１００部に対し、水酸化マグネシウム若しくは水酸化アルミニウムを３０部〜１００部を充填した難燃高密度ポリオレフィン（主に難燃高密度ポリエチレン）、難燃高密度架橋ポリオレフィン（主に難燃高密度架橋ポリエチレン）又は硬質ポリ塩化ビニルからなる摩耗検知層８および耐摩耗層９とから形成されている。
【００１７】
摩耗検知層８および耐摩耗層９の材料としては、上記の材料を単独又は組み合わせて用いることが好ましいが、これらに限定されるものではなく、摩耗検知層８は、摩耗性と電気特性と難燃性に優れ、耐摩耗層９は、摩耗性と電気特性と難燃性と耐候性に優れた材料であれば好適に用いることができる。
【００１８】
また、摩耗検知層８は、耐摩耗層９の色とは異なる色であって、視認が容易な色を有している。例えば、黄色とすることが好ましい。
【００１９】
この耐樹木ケーブル１Ａ、１Ｂおよび１Ｃの３本で３相を構成するトリプレックス形自己支持形耐樹木架空ケーブル１は、架設時の布設張力およびケーブル重量を支える鋼線、鋼撚線等からなるメッセンジャーワイヤ１０と、撚り合わせた３本の耐樹木ケーブル１Ａ、１Ｂおよび１Ｃの長手方向に該メッセンジャーワイヤ１０を添わせて一体化させるために、該外周に巻回される鋼線、鋼撚線等またはこれらの上に軟質ポリ塩化ビニルにより被覆したラッシングワイヤ１２とから形成されている。このラッシングワイヤ１２は、３本の耐樹木ケーブル１Ａ、１Ｂおよび１Ｃと接触しながら螺旋状に巻回される。
【００２０】
本実施の形態によれば、以下の効果を奏する。
（イ）耐樹木絶縁電線に比べ、シース構造を有したケーブル化に伴い、各耐樹木ケーブル同士の相間離隔が不要となり、森林の中の狭いスペースでも架空配電線路の建設が容易になる。
【００２１】
（ロ）基本的に銅テープからなる遮蔽層の外側に摩耗検知層と耐摩耗層を形成しているため、樹木が耐摩耗層と接触しても接触部に電位は発生せず、トラッキングは生じない。
【００２２】
（ハ）万一、樹木により摩耗層、摩耗検知層が擦れた状態で発見されない場合でも絶縁体上の銅テープが削れれば、抵抗値が変化するため、目視以外の方法でも絶縁体への損傷を管理することが出来る。
【００２３】
（ニ）従来の耐樹木電線においては、摩耗特性を有する摩耗検知層および耐摩耗層に絶縁特性も確保しながら、難燃化することは困難であったが、耐樹木ケーブルの場合、摩耗検知層および耐摩耗層には絶縁電線程の絶縁特性が要求されないことから、難燃高密度ポリオレフィン、難燃高密度架橋ポリオレフィン、又は硬質ポリ塩化ビニル等を施すことによりケーブルの難燃化が可能となり、万一、ケーブルにトラッキングが生じたり、他物から引火したりした場合でも、ケーブルの延焼を抑えることが出来る。
【００２４】
〔第２の実施の形態〕
図３は、本発明の第２の実施の形態に係る耐樹木ケーブルおよび該耐樹木ケーブル３本から構成されたトリプレックス形自己支持形耐樹木架空ケーブルの断面図を示す。
第２の実施の形態に係る耐樹木ケーブル１１Ａ、１１Ｂおよび１１Ｃは、シース７を設けずに、遮蔽層６上に直接摩耗検知層８および耐摩耗層９を被覆してなる点において、第１の実施の形態に係る耐樹木ケーブル１Ａ、１Ｂおよび１Ｃと相違する。
【００２５】
本実施の形態においては、摩耗検知層８および耐摩耗層９がシースとしての機能も兼ねるように厚めに被覆する構成とすることが好ましい。
【００２６】
本実施の形態によれば、第１の実施の形態と同様の効果を奏する。
【実施例１】
【００２７】
（電気特性と摩耗特性の評価）
図１に示す本発明の耐樹木ケーブルを作製し（実施例１）、図４に示す特許文献１に記載の耐樹木絶縁電線および図６に示す従来のケーブルを比較例（比較例１，２）として、電気特性および摩耗特性の評価を行った。結果を表１に示す。
【００２８】
【表１】
2006286304.tif 000003
【００２９】
表１から明らかなように、実施例１の本発明の耐樹木ケーブルは、比較例１の特許文献１に記載の耐樹木絶縁電線と同等以上の摩耗特性および電気特性を有する。なお、表１より比較例２の従来のケーブルの摩耗特性は充分でないことが分かる。
【実施例２】
【００３０】
〔所要スペースと難燃特性の評価〕
実施例１で用いた本発明の耐樹木ケーブル３本から構成されたトリプレックス形自己支持形耐樹木架空ケーブルと、比較例１で用いた耐樹木絶縁電線について、所要スペースと難燃特性の評価を行った。結果を表２に示す。
【００３１】
【表２】
2006286304.tif 000004
【００３２】
表２から明らかなように、実施例２では、ケーブル外径と同様、高さ６４ｍｍ× 幅５３ｍｍ程度ですむのに対して、比較例３では高さ１２．２ｍｍ× 幅１６３７ｍｍのスペースが必要になる。したがって、実施例２の本発明の耐樹木ケーブルから構成されたトリプレックス形自己支持形耐樹木架空ケーブルは、比較例３の特許文献１に記載の耐樹木絶縁電線に比べ、シース構造を有したケーブル化に伴い、各耐樹木ケーブル同士の相間離隔が不要となり、森林の中の狭いスペースでも架空配電線路の構築が容易になる。
【００３３】
また、実施例２の本発明の耐樹木ケーブルから構成されたトリプレックス形自己支持形耐樹木架空ケーブルは、難燃特性が合格であるのに対し、比較例３の特許文献１に記載の耐樹木絶縁電線は、難燃性を有しておらず難燃特性が不合格であった。
【図面の簡単な説明】
【００３４】
【図１】本発明の第１の実施の形態に係る耐樹木ケーブルおよび該耐樹木ケーブル３本から構成されたトリプレックス形自己支持形耐樹木架空ケーブルの断面図である。
【図２】本発明の第１の実施の形態に係る耐樹木ケーブルおよび該耐樹木ケーブル３本から構成されたトリプレックス形自己支持形耐樹木架空ケーブルの側面図である。
【図３】本発明の第２の実施の形態に係る耐樹木ケーブルおよび該耐樹木ケーブル３本から構成されたトリプレックス形自己支持形耐樹木架空ケーブルの断面図である。
【図４】従来の耐樹木絶縁電線の断面図である。
【図５】従来の耐樹木絶縁電線の側面図である。
【図６】従来のケーブルおよび該ケーブル３本から構成されたトリプレックス形自己支持形架空ケーブルの断面図である。
【図７】従来のケーブルおよび該ケーブル３本から構成されたトリプレックス形自己支持形架空ケーブルの側面図である。
【符号の説明】
【００３５】
１，１１    トリプレックス形自己支持形耐樹木架空ケーブル
１Ａ，１１Ａ    耐樹木ケーブル
１Ｂ，１１Ｂ    耐樹木ケーブル
１Ｃ，１１Ｃ    耐樹木ケーブル
２      導体
３      内部半導電層
４      絶縁体
５      外部半導電層
６      遮蔽層
７      シース
８      摩耗検知層
９      耐摩耗層
１０    メッセンジャーワイヤ
１２    ラッシングワイヤ
２０    耐樹木絶縁電線
２１    導体
２２    絶縁体
２３    摩耗検知層
２４    耐摩耗層
３０    トリプレックス形自己支持形架空ケーブル
３０Ａ  ケーブル
３０Ｂ  ケーブル
３０Ｃ  ケーブル
３１    導体
３２    内部半導電層
３３    絶縁体
３４    外部半導電層
３５    遮蔽層
３６    シース
３７    メッセンジャーワイヤ
３８    ラッシングワイヤ
【図１】
2006286304.tif 000005
【図２】
2006286304.tif 000006
【図３】
2006286304.tif 000007
【図４】
2006286304.tif 000008
【図５】
2006286304.tif 000009
【図６】
2006286304.tif 000010
【図７】
2006286304.tif 000011